(57)【要約】【課題】当選により生じた権利を持ち越し中であっても、抽選を実施することができて、抽選の楽しみを享受することができ、更に、当選した場合、遊技者に有利となる方の権利に交換することができるようにした遊技機等を提供する。【解決手段】当選抽選手段(110)による遊技の開始時に行われる抽選により多利益遊技又は最多利益遊技が当選し、かつその当選により生じた権利を次の遊技以降に持ち越しているときに、その後の当選抽選手段(110)による遊技の抽選により多利益遊技又は最多利益遊技が当選した場合、持ち越し中の当選により生じた権利と新たな当選により生じた権利とのうち遊技者に有利となる方の当選により生じた権利を有効な権利として選択するための有利選択手段(120)を備えた。【選択図】図５
2009100860.tif 000002
【特許請求の範囲】
【請求項１】
複数の図柄を変動表示又は停止表示するための図柄表示手段と、
前記図柄の組み合わせにより構成される当選役を抽選により決定するための当選抽選手段と、
前記当選抽選手段の抽選結果に対応した停止制御を前記図柄表示手段に対して行うための遊技制御手段とを備え、
遊技媒体の投入を条件として遊技が開始可能となり、前記当選抽選手段の抽選結果、所定の前記当選役に当選することにより当選フラグが成立し、且つ前記図柄表示手段が前記当選役に応じて予め定められた図柄表示の態様になることにより入賞となって所定枚数の遊技媒体の払い出しが実施可能となり、或いは前記図柄表示の態様にならないことにより外れとなって１回の遊技が終了するように設定され、
当選しても入賞しない場合に、当選により生じた権利を次の遊技以降に持ち越し可能に形成され、
遊技として、通常に実施される通常遊技と、当選により生じた権利が入賞したときには、前記通常遊技よりも多くの利益が期待できる多利益遊技と、前記多利益遊技よりも更に多くの利益が期待できる最多利益遊技とを備え、
当選により生じた権利を持ち越すことができるのは前記多利益遊技又は前記最多利益遊技のうちいずれか一方のみでありかつ１権利のみであるように形成された遊技機において、
前記当選抽選手段による遊技の開始時に行われる抽選により前記多利益遊技又は前記最多利益遊技が当選し、かつその当選により生じた権利を次の遊技以降に持ち越しているときに、その後の前記当選抽選手段による遊技の抽選により前記多利益遊技又は前記最多利益遊技が当選した場合、持ち越し中の当選により生じた権利と新たな当選により生じた権利とのうち遊技者に有利となる方の当選により生じた権利を有効な権利として選択するための有利選択手段を備えたことを特徴とする遊技機。
【請求項２】
当選役として、入賞により遊技開始の条件としての遊技媒体を投入することなく次の遊技を開始可能なリプレイ当選役を備え、
遊技として、前記通常遊技中よりも、前記リプレイ当選役の当選確率を高く設定したリプレイタイム遊技を備え、
前記有利選択手段は、前記リプレイタイム遊技中にのみ、前記当選により生じた権利の持ち越し中、前記多利益遊技又は前記最多利益遊技が当選した場合、持ち越し中の当選により生じた権利と新たな当選により生じた権利とのうち遊技者に有利となる方の当選により生じた権利を有効な権利として選択することを特徴とする請求項１記載の遊技機。
【請求項３】
遊技機を、
複数の図柄を変動表示又は停止表示するための図柄表示手段、
前記図柄の組み合わせにより構成される当選役を抽選により決定するための当選抽選手段、
前記当選抽選手段の抽選結果に対応した停止制御を前記図柄表示手段に対して行うための遊技制御手段として機能させ、
遊技媒体の投入を条件として遊技が開始可能となり、前記当選抽選手段の抽選結果、所定の前記当選役に当選することにより当選フラグが成立し、且つ前記図柄表示手段が前記当選役に応じて予め定められた図柄表示の態様になることにより入賞となって所定枚数の遊技媒体の払い出しが実施可能となり、或いは前記図柄表示の態様にならないことにより外れとなって１回の遊技が終了するように機能させ、
当選しても入賞しない場合に、当選により生じた権利を次の遊技以降に持ち越し可能に機能させ、
遊技として、通常に実施される通常遊技と、当選により生じた権利が入賞したときには、前記通常遊技よりも多くの利益が期待できる多利益遊技と、前記多利益遊技よりも更に多くの利益が期待できる最多利益遊技とを備え、
当選により生じた権利を持ち越すことができるのは前記多利益遊技又は前記最多利益遊技のうちいずれか一方のみでありかつ１権利のみであるように機能させるための遊技機用プログラムにおいて、
前記遊技機を、
前記当選抽選手段による遊技の開始時に行われる抽選により前記多利益遊技又は前記最多利益遊技が当選し、かつその当選により生じた権利を次の遊技以降に持ち越しているときに、その後の前記当選抽選手段による遊技の抽選により前記多利益遊技又は前記最多利益遊技が当選した場合、持ち越し中の当選により生じた権利と新たな当選により生じた権利とのうち遊技者に有利となる方の当選により生じた権利を有効な権利として選択するための有利選択手段として機能させるための遊技機用プログラム。
【請求項４】
遊技機を、
複数の図柄を変動表示又は停止表示するための図柄表示手段、
前記図柄の組み合わせにより構成される当選役を抽選により決定するための当選抽選手段、
前記当選抽選手段の抽選結果に対応した停止制御を前記図柄表示手段に対して行うための遊技制御手段として機能させ、
遊技媒体の投入を条件として遊技が開始可能となり、前記当選抽選手段の抽選結果、所定の前記当選役に当選することにより当選フラグが成立し、且つ前記図柄表示手段が前記当選役に応じて予め定められた図柄表示の態様になることにより入賞となって所定枚数の遊技媒体の払い出しが実施可能となり、或いは前記図柄表示の態様にならないことにより外れとなって１回の遊技が終了するように機能させ、
当選しても入賞しない場合に、当選により生じた権利を次の遊技以降に持ち越し可能に機能させ、
遊技として、通常に実施される通常遊技と、当選により生じた権利が入賞したときには、前記通常遊技よりも多くの利益が期待できる多利益遊技と、前記多利益遊技よりも更に多くの利益が期待できる最多利益遊技とを備え、
当選により生じた権利を持ち越すことができるのは前記多利益遊技又は前記最多利益遊技のうちいずれか一方のみでありかつ１権利のみであるように機能させるための遊技機用プログラムを記録したコンピュータ読み取り可能な記録媒体において、
前記遊技機を、
前記当選抽選手段による遊技の開始時に行われる抽選により前記多利益遊技又は前記最多利益遊技が当選し、かつその当選により生じた権利を次の遊技以降に持ち越しているときに、その後の前記当選抽選手段による遊技の抽選により前記多利益遊技又は前記最多利益遊技が当選した場合、持ち越し中の当選により生じた権利と新たな当選により生じた権利とのうち遊技者に有利となる方の当選により生じた権利を有効な権利として選択するための有利選択手段として機能させるための遊技機用プログラムを記録したコンピュータ読み取り可能な記録媒体。
【発明の詳細な説明】
【技術分野】
【０００１】
この発明は、遊技者の有利となるように成立した当選フラグを選択可能な遊技機、遊技機用プログラム、及び遊技機用プログラムを記録したコンピュータ読み取り可能な記録媒体に関するものである。
【背景技術】
【０００２】
従来、この種の遊技機としては、いわゆるスロットマシンであって、複数の図柄を変動表示又は停止表示するための図柄表示手段と、図柄の組み合わせにより構成される当選役を抽選により決定するための当選抽選手段と、当選抽選手段の抽選結果に対応した停止制御を図柄表示手段に対して行うための遊技制御手段とを備え、遊技媒体の投入を条件として遊技が開始可能となり、当選抽選手段の抽選結果、所定の当選役に当選することにより当選フラグが成立し、且つ図柄表示手段が当選役に応じて予め定められた図柄表示の態様になることにより入賞となって所定枚数の遊技媒体の払い出しが実施可能となり、或いは図柄表示の態様にならないことにより外れとなって１回の遊技が終了するように設定され、当選しても入賞しない場合に、当選により生じた権利を次の遊技以降に持ち越し可能なものが知られている。
【０００３】
そして、当選に基づいて行われた遊技操作で、所定の図柄表示の態様が成立しなかったとき、今回の当選の権利を消滅させ、そして、新たな抽選を行い、その抽選結果に応じた遊技状態を発生させるものが知られている（例えば、特許文献１。）。
また、当選フラグ成立後、一定期間内に入賞することができなかった場合には、当該当選フラグを消滅させるものが知られている（例えば、特許文献２。）。
また、従来の遊技機において、ボーナス遊技としては、当選により生じた権利が入賞したときには、通常遊技よりも多くの利益が期待できる多利益遊技としてのレギュラーボーナスゲーム（ＲＢゲーム）と、この多利益遊技（ＲＢゲーム）よりも更に多くの利益が期待できる最多利益遊技（ビッグボーナスゲーム（ＢＢゲーム））とを備えているものがある。そして、これらのボーナス遊技に当選抽選手段の抽選の結果、当選して当選フラグが成立しても、所定の図柄を入賞有効ライン上に揃えることができなかった場合、次の遊技以降に当選した権利（当選フラグ成立の権利）を持ち越すことができるように設定されている。そして、ボーナスフラグを持ち越している場合、ボーナスゲームに関する抽選は実施されないよう形成され、持ち越すことができる権利は１権利のみに設定されていた。
【特許文献１】特開２００４−３３４６９号公報
【特許文献２】特開２００２−５８７９７号公報
【発明の開示】
【発明が解決しようとする課題】
【０００４】
しかし、上述したようにボーナス遊技の当選により生じた権利を持ち越すことができるが、持ち越すことができる権利が１権利のみに設定され、そして、ボーナス遊技に、通常遊技よりも多くの利益が期待できる多利益遊技（ＲＢゲーム）と、この多利益遊技（ＲＢゲーム）よりも更に多くの利益が期待できる最多利益遊技（ＢＢゲーム）との２種類の利益の異なる遊技が設定されている場合において、利益が少ない方の多利益遊技（ＲＢゲーム）に当選して、当該フラグが持ち越し中のときは、遊技回数を重ねて抽選が繰り返されても、より利益の多い最多利益遊技（ＢＢゲーム）の当選を望めないといった問題点があった。
【０００５】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する問題点に鑑みてなされたものであり、その目的とするところは、当選により生じた権利を持ち越し中であっても、抽選を実施することができて、抽選の楽しみを享受することができ、更に、当選した場合、遊技者に有利となる方の権利に交換することができるようにした遊技機を提供しようとするものである。
（請求項２）  請求項２記載の発明は、上記した請求項１記載の発明の目的に加え、次の点を目的とする。すなわち、請求項２記載の発明は、リプレイタイム遊技中にのみ有利となる方の権利を選択することができて、リプレイタイム遊技の特典を増加させることができるようにした遊技機を提供しようとするものである。
【０００６】
（請求項３）  請求項３記載の発明は、次の点を目的とする。すなわち、請求項３記載の発明は、当選により生じた権利を持ち越し中であっても、抽選を実施することができて、抽選の楽しみを享受することができ、更に、当選した場合、遊技者に有利となる方の権利に交換することができるようにした遊技機用プログラムを提供しようとするものである。
（請求項４）  請求項４記載の発明は、次の点を目的とする。すなわち、請求項４記載の発明は、当選により生じた権利を持ち越し中であっても、抽選を実施して、当選した場合、遊技者に有利となる方の権利に交換することができるようにした遊技機用プログラムを記録したコンピュータ読み取り可能な記録媒体を提供しようとするものである。
【課題を解決するための手段】
【０００７】
（請求項１）
（特徴点）  請求項１記載の発明は、次の点を特徴とする。すなわち、複数の図柄(61)を変動表示又は停止表示するための図柄表示手段(41)と、前記図柄(61)の組み合わせにより構成される当選役を抽選により決定するための当選抽選手段(110)と、前記当選抽選手段(110)の抽選結果に対応した停止制御を前記図柄表示手段(41)に対して行うための遊技制御手段(27)とを備え、遊技媒体の投入を条件として遊技が開始可能となり、前記当選抽選手段(110)の抽選結果、所定の前記当選役に当選することにより当選フラグが成立し、且つ前記図柄表示手段(41)が前記当選役に応じて予め定められた図柄表示の態様になることにより入賞となって所定枚数の遊技媒体の払い出しが実施可能となり、或いは前記図柄表示の態様にならないことにより外れとなって１回の遊技が終了するように設定され、当選しても入賞しない場合に、当選により生じた権利を次の遊技以降に持ち越し可能に形成され、遊技として、通常に実施される通常遊技と、当選により生じた権利が入賞したときには、前記通常遊技よりも多くの利益が期待できる多利益遊技と、前記多利益遊技よりも更に多くの利益が期待できる最多利益遊技とを備え、当選により生じた権利を持ち越すことができるのは前記多利益遊技又は前記最多利益遊技のうちいずれか一方のみでありかつ１権利のみであるように形成された遊技機(10)において、前記当選抽選手段(110)による遊技の開始時に行われる抽選により前記多利益遊技又は前記最多利益遊技が当選し、かつその当選により生じた権利を次の遊技以降に持ち越しているときに、その後の前記当選抽選手段(110)による遊技の抽選により前記多利益遊技又は前記最多利益遊技が当選した場合、持ち越し中の当選により生じた権利と新たな当選により生じた権利とのうち遊技者に有利となる方の当選により生じた権利を有効な権利として選択するための有利選択手段(120)を備えたことを特徴とする。
【０００８】
なお、ここで、「図柄表示手段(41)」とあるのは、例えば、回転リール(40)であるが、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リール(40)が回転するような画像を当該液晶装置によって遊技者に向かって表示するものも含まれる。
また、ここで、「遊技機(10)」とは、具体的には、例えば、スロットマシンであるが、上述した回転リール(40)を有するパチンコ機や、その他の遊技機を含むものである。
【０００９】
また、ここで、「遊技媒体」とは、遊技機(10)内部への投入により遊技開始の条件となり、また、入賞により所定数が遊技者へ払い出される価値物であって、具体的には、例えば、円板状の遊技メダルであるが、それに限定されるものではなく、通常のコインでもよく、また、球状のボール球でもよいものである。
また、ここで、「当選役」とは、予め定めた入賞態様の組み合わせを意味するものであって、具体的には、例えば、左、中、右の回転リール(40)の停止図柄が、それぞれ７、７、７となることにより、入賞可能となるような入賞態様の組み合わせを含むものである。
また、ここで、「多くの利益が期待できる」の「多くの利益」とは、結果として、入賞による遊技媒体の払い出しにより、獲得できる遊技媒体数（獲得メダル数）を多く得ることができて、遊技者にとって得られる利益が多い（大きい）ことを意味するものである。
【００１０】
また、ここで、「持ち越し中の当選により生じた権利と新たな当選により生じた権利とのうち遊技者に有利となる方の当選により生じた権利を有効な権利として選択する」とあるのは、持ち越し中の当選により生じた権利と、新たな当選により生じた権利とのうち、遊技者にとって、より有利となる方の当選により生じた権利を、有効な権利として継続維持し、持ち越しが必要な場合は、次の遊技以降に持ち越し、且つ、遊技者にとって、より有利とならない方の当選により生じた権利を、消滅させ、次の遊技以降へ持ち越さないことを意味する。
具体的には、持ち越し中の当選により生じた権利の方が、新たな当選により生じた権利よりも遊技者にとって、より有利な場合は、持ち越し中の当選により生じた権利を有効な権利として継続させて、新たな当選により生じた権利を消滅させるものである。
【００１１】
また、新たな当選により生じた権利の方が、持ち越し中の当選により生じた権利よりも遊技者にとって、より有利な場合は、新たな当選により生じた権利を有効な権利として継続させて、持ち越し中の当選により生じた権利を消滅させるものである。
また、新たな当選により生じた権利と、持ち越し中の当選により生じた権利とが、同一であって、遊技者にとっての有利性という観点から、いずれか有利と判断できない場合は、いずれか一方の権利を有効なものとして継続させて、他方の権利を消滅させ、結果として、１個の権利のみを有効なものとするものである。
（作用）  本発明は、多利益遊技又は最多利益遊技が当選し、且つその当選により生じた権利を次の遊技以降に持ち越しているときに、その後の当選抽選手段(110)による遊技の抽選により多利益遊技又は最多利益遊技が当選した場合、遊技者にとって、より有利となる方の当選により生じた権利を有効な権利として有利選択手段(120)が選択している。
【００１２】
これにより、持ち越すことができる権利が１権利に制限され、当選により生じた権利を持ち越し中であっても、毎回の遊技で抽選を実施することができ、毎回の遊技で抽選の楽しみを享受することができる。更に、多利益遊技の当選の権利を持ち越している場合は、毎回の遊技で、より有利な最多利益遊技の当選を望むことができ、多利益遊技の当選から最多利益遊技の当選へ、当選により生じた権利を交換することができる。結果として、この最多利益遊技の当選及び入賞により、遊技者は、多利益遊技よりも、より多くの利益を得ることが可能となる。
（請求項２）
（特徴点）  請求項２記載の発明は、上記した請求項１記載の発明の特徴点に加え、次の点を特徴とする。すなわち、当選役として、入賞により遊技開始の条件としての遊技媒体を投入することなく次の遊技を開始可能なリプレイ当選役を備え、遊技として、前記通常遊技中よりも、前記リプレイ当選役の当選確率を高く設定したリプレイタイム遊技を備え、前記有利選択手段(120)は、前記リプレイタイム遊技中にのみ、前記当選により生じた権利の持ち越し中、前記多利益遊技又は前記最多利益遊技が当選した場合、持ち越し中の当選により生じた権利と新たな当選により生じた権利とのうち遊技者に有利となる方の当選により生じた権利を有効な権利として選択することを特徴とする。
【００１３】
（作用）  本発明は、有利選択手段(120)の当選により生じた権利をより有利な権利へ交換することを、リプレイタイム遊技中にのみ、実施することで、リプレイタイム遊技の特典を増加させることができる。
（請求項３）
（特徴点）  請求項３記載の発明は、次の点を特徴とする。すなわち、遊技機(10)を、複数の図柄(61)を変動表示又は停止表示するための図柄表示手段(41)、前記図柄(61)の組み合わせにより構成される当選役を抽選により決定するための当選抽選手段(110)、前記当選抽選手段(110)の抽選結果に対応した停止制御を前記図柄表示手段(41)に対して行うための遊技制御手段(27)として機能させ、遊技媒体の投入を条件として遊技が開始可能となり、前記当選抽選手段(110)の抽選結果、所定の前記当選役に当選することにより当選フラグが成立し、且つ前記図柄表示手段(41)が前記当選役に応じて予め定められた図柄表示の態様になることにより入賞となって所定枚数の遊技媒体の払い出しが実施可能となり、或いは前記図柄表示の態様にならないことにより外れとなって１回の遊技が終了するように機能させ、当選しても入賞しない場合に、当選により生じた権利を次の遊技以降に持ち越し可能に機能させ、遊技として、通常に実施される通常遊技と、当選により生じた権利が入賞したときには、前記通常遊技よりも多くの利益が期待できる多利益遊技と、前記多利益遊技よりも更に多くの利益が期待できる最多利益遊技とを備え、当選により生じた権利を持ち越すことができるのは前記多利益遊技又は前記最多利益遊技のうちいずれか一方のみでありかつ１権利のみであるように機能させるための遊技機用プログラムにおいて、前記遊技機(10)を、前記当選抽選手段(110)による遊技の開始時に行われる抽選により前記多利益遊技又は前記最多利益遊技が当選し、かつその当選により生じた権利を次の遊技以降に持ち越しているときに、その後の前記当選抽選手段(110)による遊技の抽選により前記多利益遊技又は前記最多利益遊技が当選した場合、持ち越し中の当選により生じた権利と新たな当選により生じた権利とのうち遊技者に有利となる方の当選により生じた権利を有効な権利として選択するための有利選択手段(120)として機能させるための遊技機用プログラムである。
【００１４】
（作用）  本発明は、請求項１記載の発明の作用と同一である。
更に、当選役として、入賞により遊技開始の条件としての遊技媒体を投入することなく次の遊技を開始可能なリプレイ当選役を備え、遊技として、前記通常遊技中よりも、前記リプレイ当選役の当選確率を高く設定したリプレイタイム遊技を備え、前記有利選択手段(120)は、前記リプレイタイム遊技中にのみ、前記当選により生じた権利の持ち越し中、前記多利益遊技又は前記最多利益遊技が当選した場合、持ち越し中の当選により生じた権利と新たな当選により生じた権利とのうち遊技者に有利となる方の当選により生じた権利を有効な権利として選択するように形成することができる。
【００１５】
このように形成すると、有利選択手段(120)の当選により生じた権利をより有利な権利へ交換することを、リプレイタイム遊技中にのみ、実施することで、リプレイタイム遊技の特典を増加させることができる。
（請求項４）
（特徴点）  請求項４記載の発明は、次の点を特徴とする。すなわち、遊技機(10)を、複数の図柄(61)を変動表示又は停止表示するための図柄表示手段(41)、前記図柄(61)の組み合わせにより構成される当選役を抽選により決定するための当選抽選手段(110)、前記当選抽選手段(110)の抽選結果に対応した停止制御を前記図柄表示手段(41)に対して行うための遊技制御手段(27)として機能させ、遊技媒体の投入を条件として遊技が開始可能となり、前記当選抽選手段(110)の抽選結果、所定の前記当選役に当選することにより当選フラグが成立し、且つ前記図柄表示手段(41)が前記当選役に応じて予め定められた図柄表示の態様になることにより入賞となって所定枚数の遊技媒体の払い出しが実施可能となり、或いは前記図柄表示の態様にならないことにより外れとなって１回の遊技が終了するように機能させ、当選しても入賞しない場合に、当選により生じた権利を次の遊技以降に持ち越し可能に機能させ、遊技として、通常に実施される通常遊技と、当選により生じた権利が入賞したときには、前記通常遊技よりも多くの利益が期待できる多利益遊技と、前記多利益遊技よりも更に多くの利益が期待できる最多利益遊技とを備え、当選により生じた権利を持ち越すことができるのは前記多利益遊技又は前記最多利益遊技のうちいずれか一方のみでありかつ１権利のみであるように機能させるための遊技機用プログラムを記録したコンピュータ読み取り可能な記録媒体において、前記遊技機(10)を、前記当選抽選手段(110)による遊技の開始時に行われる抽選により前記多利益遊技又は前記最多利益遊技が当選し、かつその当選により生じた権利を次の遊技以降に持ち越しているときに、その後の前記当選抽選手段(110)による遊技の抽選により前記多利益遊技又は前記最多利益遊技が当選した場合、持ち越し中の当選により生じた権利と新たな当選により生じた権利とのうち遊技者に有利となる方の当選により生じた権利を有効な権利として選択するための有利選択手段(120)として機能させるための遊技機用プログラムを記録したコンピュータ読み取り可能な記録媒体である。
【００１６】
本発明は、請求項３記載の発明の作用と同一であるため説明を省略する。
【発明の効果】
【００１７】
本発明は、以上のように構成されているので、以下に記載されるような効果を奏する。
（請求項１）  請求項１記載の発明によれば、次のような効果を奏する。すなわち、請求項１記載の発明によれば、当選により生じた権利を持ち越し中であっても、抽選を実施することができて、抽選の楽しみを享受することができ、更に、当選した場合、遊技者に有利となる方の権利に交換することができるようにした遊技機を提供することができる。
（請求項２）  請求項２記載の発明によれば、上記した請求項１記載の発明の効果に加え、次のような効果を奏する。すなわち、請求項２記載の発明によれば、リプレイタイム遊技中にのみ有利となる方の権利を選択することができて、リプレイタイム遊技の特典を増加させることができるようにした遊技機を提供することができる。
【００１８】
（請求項３）  請求項３記載の発明によれば、次のような効果を奏する。すなわち、請求項３記載の発明によれば、当選により生じた権利を持ち越し中であっても、抽選を実施することができて、抽選の楽しみを享受することができ、更に、当選した場合、遊技者に有利となる方の権利に交換することができるようにした遊技機用プログラムを提供することができる。
（請求項４）  請求項４記載の発明によれば、次のような効果を奏する。すなわち、請求項４記載の発明によれば、当選により生じた権利を持ち越し中であっても、抽選を実施することができて、抽選の楽しみを享受することができ、更に、当選した場合、遊技者に有利となる方の権利に交換することができるようにした遊技機用プログラムを記録したコンピュータ読み取り可能な記録媒体を提供することができる。
【発明を実施するための最良の形態】
【００１９】
（第１の実施の形態）
（図面の説明）  図１乃至図９は、本発明の第１の実施の形態を示すものである。図１は遊技機の入力、制御及び出力のブロック図、図２は遊技制御手段のブロック図、図３は当選抽選手段のブロック図、図４は遊技機の外観正面図、図５は現在持ち越し中の権利がある場合に、新たな当選があったときの、次の遊技以降に持ち越し可能な権利の説明図、図６から図９までは遊技機の特殊遊技（ＲＴゲーム）の動作の概略のフローをそれぞれ示すものである。
（遊技機10）  遊技機10は、正面に向かって開口する正面開口部を有する四角箱状の筐体11を有する。この筐体11の正面開口部の向かって左縁側には、筐体11の正面開口部を開閉自在に塞ぐ前扉14がヒンジにより軸支されている。前記前扉14の中央部から上部には、遊技者側に向かって臨む略四角窓状の表示窓12が形成されている。そして、この表示窓12の略中央には、三個の回転リール40の図柄61、いわゆる停止図柄61を見ることができる図柄表示窓13が形成されている。そして、前扉14の下部には、入賞した場合に、賞品としての遊技媒体である遊技メダルが払い出される払い出し口32が形成されている。そして、この払い出し口32の下方には、払い出し口32から払い出された遊技媒体を貯留するための上方に向かって開口する皿状の払い出し皿33が形成されている。
【００２０】
前記回転リール40は、図４の向かって左端側に位置する左側回転リール43と、図４の向かって右端側に位置する右側回転リール45と、この左側回転リール43及び右側回転リール45の間に位置する中央回転リール44とからなるものである。そして、遊技機10の前面側には、特に図示しないが、横方向に三本、左右の対角線上の斜め方向に二本の合計五本の入賞ラインが形成されている。そして、この入賞ラインは、投入メダルの枚数に応じて入賞が有効になる入賞有効ラインとなるものである。具体的には、遊技メダルの投入枚数が、１枚の場合、五本の入賞ラインのうち、横中央の一本が入賞有効ラインとなる。そして、遊技メダルの投入枚数が、２枚の場合、五本の入賞ラインのうち、横方向の三本が入賞有効ラインとなる。そして、遊技メダルの投入枚数が、３枚の場合、対角線も含めた五本の入賞ラインの全部が、入賞有効ラインとなる。
【００２１】
遊技機10の内部には、図示していないが、遊技機10の全体の動作を制御するための制御装置20（図１参照）が内蔵されている。
なお、ここで、「前面」や「前方向」や「手前方向」とは、遊技者が、遊技機10の正面側の前に遊技機10の方に顔を向けて座って、或いは、立っているような場合のかかる遊技者から見た場合の奥から手前への方向を意味する。したがって、前方向や手前方向とは、遊技機10の奥から正面へ向かう方向を意味する。
また、「背面」や「後方向」や「奥方向」とは、遊技者が、遊技機10の正面側に遊技機10の方を向いて位置しているような場合のかかる遊技者から見たときの手前から奥への方向を意味する。したがって、後方向とは、遊技機10の正面から奥（後ろ）へ向かう方向を意味する。また、本明細書における「左方向」や「右方向」等の左右方向も、かかる遊技機10の前面の方を向いて位置している者から見た場合の右方向や、左方向を意味する。
【００２２】
（制御装置20）  前記制御装置20は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、次の（１）遊技制御装置21及び（２）演出制御装置22の装置を有するものである。
図１に示すように、スタートスイッチ30及びストップスイッチ50の操作により、回転リール40の回転及び停止を制御するための遊技制御装置21と、ランプやスピーカー等の報知手段66を制御するための演出制御装置22とが内蔵されている。また、ＣＰＵは、遊技制御装置21及び演出制御装置22に、それぞれ一個ずつ配置されているが、特にこれに限定されるものではなく、一個のＣＰＵで制御しても良く、或いは、二個以上のＣＰＵで制御するようにしても良いものである。また、ＣＰＵ、ＲＯＭ、ＲＡＭ及びＩ／Ｏ等は一体化されてワンチップを構成しても良いものである。
【００２３】
（遊技制御装置21）  前記遊技制御装置21は、スタートスイッチ30及びストップスイッチ50の遊技者による操作により、回転リール40の回転及び停止を制御するためのものである。この遊技制御装置21は、次の手段として機能する。
（１）遊技制御手段27（通常遊技制御手段70、特別遊技制御手段80、特殊遊技制御手段85）
（２）当選抽選手段110
（３）有利選択手段120
なお、本遊技機により行う遊技は、通常に行われる通常遊技と、この通常遊技よりも利益が出せて遊技者に大きな利益を付与可能であって遊技者にとって有利な特別遊技（ボーナスゲーム）とを備えている。更に、この特別遊技（ボーナスゲーム）は、当選により生じた権利が入賞したときには、通常遊技よりも多くの利益が期待できる多利益遊技（レギュラーボーナスゲーム（ＲＢゲーム））と、多利益遊技（ＲＢゲーム）よりも更に多くの利益が期待できる最多利益遊技（ビッグボーナスゲーム（ＢＢゲーム））と、通常遊技中よりも、後述するリプレイ当選役の当選確率を高く設定した特殊遊技（リプレイタイムゲーム（ＲＴゲーム））とを備えている。
【００２４】
そして、前記通常遊技制御手段70は、通常遊技を行わせるために通常遊技に関する制御を行うものであり、前記特別遊技制御手段80は、特別遊技を行わせるために特別遊技に関する制御を行うものであり、前記特殊遊技制御手段85は、特殊遊技を行わせるために特殊遊技に関する制御を行うものである。また、遊技制御装置21としては、上記した手段に限定されるものではなく、他の手段を含んでいても良い。
（演出制御装置22）  前記演出制御装置22は、主として演出データに関するものであって、報知ランプ69やスピーカー67等の報知手段66を制御するためのものである。そして、遊技制御装置21の内部データの信頼性を担保するため、遊技制御装置21と演出制御装置22との間での信号のやりとりは、一方通行となるように設定されている。すなわち、遊技制御装置21から、演出制御装置22に向かって出力信号のみが送出され、この演出制御装置22から遊技制御装置21に向かっていかなる信号も送出されないように設定されている。これにより、当選率等の抽選に関するデータを有する遊技制御装置21のデータ保護を容易なものにすることができる。
【００２５】
そして、この演出制御装置22は、次の手段として機能する。
（１）演出データ記憶手段25
（２）演出制御手段26
また、演出制御装置22としては、上記した手段に限定されるものではなく、他の手段を含んでいても良い。また、ここで、遊技機10は、遊技制御装置21を配置した主基板23の他に、前記演出制御装置22を配置したサブ基板24を設けているものである。このため、サブ基板24を交換することにより、演出内容の一部だけが異なる姉妹機を簡単に製造することができる。また、サブ基板24のみを容量や性能が異なる別のものに簡単に交換することができるため、演出内容だけを、例えば、静止画からなる文字表示だけ等の比較的簡単な演出内容のものから、種々の背景の中で、キャラクターが登場する等の多色、精彩な動画からなる複雑な種々の演出内容のもの等に容易に変更することができる。
【００２６】
なお、本実施の形態は、上述したような主基板23及びサブ基板24を備えているが、特にこれに限定されるものではなく、主基板23のみからなるようなものや、或いは、更に複数のサブ基板24を備えているようなものでも良いものである。
前記制御装置20の入力側には、主として制御装置20に信号を送る入力手段が配置され、前記制御装置20の出力側には、主として制御装置20からの信号が送り込まれる出力手段が配置されている。
（入力手段）  前記制御装置20の入力側には、図１に示すように、次のパーツが接続されている。
【００２７】
（１）投入スイッチ15
（２）ベットスイッチ16
（３）精算スイッチ17
（４）スタートスイッチ30（変動表示開始手段31）
（５）ストップスイッチ50（変動表示停止手段51）
なお、入力手段としては、上記した（１）から（５）までのパーツに限定されるものではない。
（出力手段）  前記制御装置20の出力側には、図１に示すように、次のパーツが接続されている。
【００２８】
（１）貯留払い出し手段65
（２）リールユニット60（モータードライバ62及び駆動モーター63）
（３）報知手段66（スピーカー67、報知ランプ69及び表示装置68）
なお、出力手段としては、上記した（１）から（３）までのパーツに限定されるものではない。
（投入スイッチ15）  前記投入スイッチ15は、図４に示すように、回転リール40の斜め下方に位置するスイッチであって、遊技メダルのメダル投入口18から投入された遊技メダルを検知するためのものである。
【００２９】
（ベットスイッチ16）  前記ベットスイッチ16は、図４に示すように、回転リール40の下方に位置するスイッチであって、遊技者により予め投入されて遊技機内部に貯留した貯留メダル数を減じてメダル投入に代えるためのものである。
（精算スイッチ17）  前記精算スイッチ17は、図４に示すように、回転リール40の斜め下方に位置するスイッチであって、貯留した投入メダルを払い出すためのものである。
（スタートスイッチ30）  前記スタートスイッチ30は、前記図柄表示手段41としての回転リール40の回転停止表示を回転変動表示へ移行させるために遊技者により変動開始操作が可能な変動表示開始手段31である。このスタートスイッチ30は、図４に示すように、回転リール40の斜め下方に位置するレバーであって、遊技メダルの投入若しくはベットスイッチ16の投入を条件に、または、「再遊技（リプレイ、Replay）」時には前遊技から所定時間経過を条件に、リールユニット60の駆動を開始させるためのものである。
【００３０】
なお、ここで、「再遊技（リプレイ、Replay）」とは、当選抽選手段110の抽選により、「再遊技（リプレイ、Replay）」のフラグが成立し、「再遊技（リプレイ、Replay）」の図柄が入賞有効ライン上に揃うことにより、次の遊技において、遊技メダルを新たに投入することなく、再度、遊技を行うことができるものである。
（ストップスイッチ50）  前記ストップスイッチ50は、前記図柄表示手段の回転変動表示を回転停止表示へ移行させるために遊技者により複数個の前記図柄表示手段を別個独立に停止操作が可能な変動表示停止手段51であって、リールユニット60の駆動モーターの回転を停止させるためのものである。具体的には、ストップスイッチ50は、図４に示すように、各回転リール40に対応した三個のスイッチから構成され、各回転リール40の下方に１個ずつ配置されているものである。遊技者が回転リール40に対応したストップスイッチ50を指で押す又は触れる等の停止操作により、当該対応した回転リール40が回転を停止するように設定されているものである。
【００３１】
（貯留払い出し手段65）  前記貯留払い出し手段65は、いわゆるホッパーユニットであって、図示しないが、投入された遊技媒体を貯留することができるとともに、入賞した場合に、遊技者に向かって所定数の遊技媒体としての遊技メダルを払い出すためのものである。
（リールユニット60（モータードライバ62、駆動モーター63））  前記リールユニット60は、複数の配列された図柄を回転変動表示又は回転停止表示するための複数個の図柄表示手段41を備えているものである。この図柄表示手段41は、２１個の図柄を周囲に均等に配列した筒状の回転リール40を有している。すなわち、リールユニット60には、３個の駆動モーター63が、基体としての枠体に固定或いは支持されている。そして、各々の駆動モーター63の回転駆動軸には、三個の回転リール40の回転中心軸が固定されている。そして、各回転リール40は、合成樹脂からなる回転ドラムと、この回転ドラムの周囲に貼付されるテープ状のリールテープ42とを備えている。このリールテープ42の外周面には、複数個（２１個）の図柄61が表示されている。そして、回転リール40の一部に、突出している突出片状のいわゆるスタートインデックスが形成してある。そして、駆動モーター63による回転を開始した後、前記スタートインデックスを光センサー等により検知してからの回転角度を認識することで、現在位置を特定し、その後、所定角度で停止させることによって、停止制御が行われるものである。この光センサーは、全体形状が、略コ字状であって、一端に発光素子（ＬＥＤ）が配置され、他端に受光素子（フォトトランジスタ）が配置され、そのコ字状の内部を、突出片状のスタートインデックスが移動することにより、発光素子からの光が遮断され、スタートインデックスの位置を検知可能なものである。
【００３２】
以下、具体的に説明すると、この回転リール40の外周表面の２１個の図柄61には、各図柄61の表示位置により異なる図柄番号が付与されている。そして、この回転リール40の回転駆動軸には、回転リール40を回転駆動させるための回転駆動源である駆動モーター63としてのステッピングモーター64が固定されている。このステッピングモーター64は、リールユニット60の基体である枠体に固定されて所定の回転角度だけ回転リール40を回転させるための回転駆動力を発生するものである。このリールユニット60には、このステッピングモーター64を回転駆動させるためのモータードライバ62が形成されている。このモータードライバ62には、遊技制御装置21からの制御信号としてのパルス信号が入力されることにより、ステッピングモーター64を回転駆動させるように形成されている。
【００３３】
（報知手段66）  前記報知手段66は、遊技者に当選や入賞等を音や光や映像で報知させるためのものである。具体的には、報知手段66は、筐体11に埋め込まれた左右のスピーカー67と、表示窓12の上部中央に配置された液晶表示装置からなる表示装置68と、表示窓12の周囲縁に配置された５個の報知ランプ69とを備えているものである。そして、この報知手段66は、演出制御装置22の制御により、当選時や入賞時にスピーカー67から当選音や入賞音を発生させ、報知ランプ69を点灯又は点滅させることにより、また、表示装置68に図柄模様や文字列を点灯表示させることにより、遊技者に当選や入賞等を報知させるためのものである。
【００３４】
（遊技制御手段27）  前記遊技制御手段27は、遊技を行わせるためのものであって、当選抽選手段110の抽選結果に対応した停止制御を図柄表示手段41に対して行うためのものである。具体的には、遊技制御手段27は、通常遊技の制御を行う通常遊技制御手段70と、特別遊技の制御を行う特別遊技制御手段80とを備えている。
なお、ここで、遊技制御手段27が行わせる遊技は、遊技メダルの投入を条件として遊技が開始可能となり、当選抽選手段の抽選結果、所定の当選役に当選し、且つ遊技状況が当選役に応じて予め定められた図柄表示の態様になること（当選役に対応する図柄が入賞有効ライン上に揃うこと）により入賞となり、或いは、かかる図柄表示の態様にならないこと（当選役に対応する図柄が入賞有効ライン上に揃わないこと）により外れとなって１回の遊技が終了するように設定されている。
【００３５】
（通常遊技制御手段70）  前記通常遊技制御手段70は、通常遊技を行わせるためのものである。
すなわち、メダルの投入若しくはベットスイッチ16の投入を条件に、または、「再遊技（リプレイ、Replay）」時には前遊技から所定時間経過を条件に、スタートスイッチ30を操作すると、リールユニット60が駆動され、三個の回転リール40が回転を開始する。その後、ストップスイッチ50の一個を操作すると、当該対応する回転リール40の回転が停止する。そして、ストップスイッチ50を三個全て操作し終わると、三個の回転リール40の回転が全て停止する。このとき、表示窓12の入賞有効ライン上に、予め設定された図柄61が停止すると、貯留払い出し手段65を介して所定枚数のメダルが払い出される。なお、メダルを払い出す代わりに、クレジットしても良い。
【００３６】
当選には、入賞した場合、遊技メダルの払い出しを伴い、遊技者に利益を付与する小役当選（この小役当選が入賞した場合は小役入賞となる）と、入賞した場合、この小役当選よりもさらに大きな利益を遊技者に付与する特別当選（この特別当選が入賞した場合は特別入賞となる）と、入賞した場合、遊技メダルの払い出しは無いが、遊技メダルを新たに投入することなく再度の遊技を行うことができる「再遊技（リプレイ、Replay）当選」（この再遊技当選が入賞した場合は再遊技入賞となる）の当選とを備えている。そして、その抽選結果がいずれかの当選となった場合（内部入賞とも言う。）、その当選に対応した当選フラグが成立する。
【００３７】
ここで、「フラグ」とは、当選抽選手段110の抽選結果が所定の当選役に当選の場合に、当選であることを記憶しておくためのメモリーであり、小役当選の場合には、小役当選フラグを成立させ、抽選結果が特別当選である場合には特別当選フラグを成立させるものである。そして、この特別当選の当選フラグ成立中に、リールユニット60の回転リール40の停止図柄61の組み合わせが、予め定められた所定の当選図柄61（例えば、入賞有効ライン上に「７」が三個揃うもの）と一致したことを条件に入賞し、遊技者に有利な特別遊技を行わせるように形成されている。そして、抽選により特別当選フラグが成立したが、回転リール40の停止図柄61の組み合わせが当選図柄61と一致していない場合、それ以後の遊技に当選フラグ成立の権利が持ち越されるように設定されている。その際、次の遊技に持ち越すことができる特別当選フラグは、１個のみである。すなわち、当選により生じた権利を次の遊技に持ち越すことができるのは、多利益遊技（ＲＢゲーム）又は最多利益遊技（ＢＢゲーム）のうちのいずれか一方のみであり、かつ、１権利のみに設定されている。
【００３８】
なお、小役当選及び再遊技当選の当選フラグは、当選フラグが成立した遊技で入賞させられない場合、当選フラグ成立の権利の次の遊技への持ち越しはない。
（蹴飛ばし設定と、引き込み設定）  前記回転リール40の回転及び停止を制御する停止制御として、入賞図柄の組み合わせを遊技者がストップスイッチ50を操作して所定位置に停止させようとしても、回転リール40が回転して、かかる当選図柄が所定位置に揃わないように設定した蹴飛ばし設定と、ストップスイッチ50を操作した状態から所定の図柄数だけ回転リール40の回転上流側に位置する引き込み可能図柄の中に、当選フラグ成立中の当選図柄が含まれているような場合に、当選図柄を所定位置にまで引き込んで停止するように設定した引き込み設定とを備えている。
【００３９】
また、いずれかの当選フラグが成立中に、対応する当選図柄61を入賞有効ライン上に揃えることができるか否かは、回転リール40の回転速度が一定の場合、ストップスイッチ50の操作タイミングによるものである。具体的には、ストップスイッチ50を操作した後、１９０ｍｓ以内に回転リール40が停止するように設定されているため、ストップスイッチ50を操作した後、そのまま停止させるか、或いは１９０ｍｓ以内に停止可能な回転リール40の円周上の引き込み可能図柄61、例えば停止位置の図柄の上の図柄から連続する４個の引き込み可能図柄61の中、すなわち停止位置の図柄も含めて全部で５個の図柄中に、対応する当選図柄61が含まれているような場合には、停止するまでの時間を遅らせて、回転リール40は入賞有効ライン上にその当選図柄61を引き込んで停止する。一方、停止位置の図柄及びかかる４個の引き込み可能図柄61の中、すなわち全部で５個の図柄中に、対応する当選図柄61が含まれていないような場合には、入賞有効ライン上にその当選図柄61を引き込んで停止することができない。また、いずれの当選フラグも成立していない場合には、入賞図柄の入賞確定は不可能となるように設定されている。すなわち、いずれの当選フラグも成立していない場合には、蹴飛ばし設定により、入賞図柄が、所定の入賞有効ライン上に揃わないような位置に停止する、いわゆる蹴飛ばされる。
【００４０】
本形態では、停止制御として、上述したような条件判断停止制御を使用しているが、特にこれに限定されるものではなく、停止制御として、停止テーブルを使用しても良い。これは、いずれかの当選フラグが成立中に、対応する当選図柄61を入賞有効ライン上に揃えることができるか否かは、選択した停止テーブル上に予め記載されている２１個の図柄に対応する各停止操作位置（Ｎｏ０〜Ｎｏ２０）でのすべりコマ数により決定されるものである。例えば、左側回転リール43、中央回転リール44及び右側回転リール45の入賞有効ライン上の図柄が順にセブン、セブン、セブンと停止することにより、ＢＢゲームに入賞するように設定されている。そして、かかるＢＢゲームの当選フラグが成立している場合に、右側回転リール45での基準位置での停止操作位置がＮｏ６であるとき、選択された停止テーブルのＮｏ６の位置から３コマ後にセブンが位置して、そのＮｏ６の位置のすべりコマ数には３が予め設定されているとする。かかる場合、その基準位置には、Ｎｏ６の図柄から３コマだけ回転移動してセブンの当選図柄が停止することとなるものである。このように、停止テーブルには、各停止操作位置でのすべりコマ数が予め設定されている。そして、ＢＢゲームの当選の場合の停止テーブルのように、各当選役が当選しているときの停止テーブルや、ハズレの場合の停止テーブルが予め用意されてあり、当選抽選手段110の抽選結果によって、所定の停止テーブルが選択されるものである。
【００４１】
なお、ここで、「基準位置」とは、図柄表示窓13内部に停止する図柄の停止位置の範囲のうち、予め定めた所定の位置を意味する。この基準位置は、図柄表示窓13内部の位置であれば、いずれの位置に設定しても良いものであり、回転リール40の図柄の停止位置を定めるための基準となる位置である。具体的には、この基準位置は、図柄表示窓13の上段に停止する図柄位置の中央の位置に設定されているが、もちろん、他の基準位置に設定しても良い。
なお、ここで、「当選役」とは、各回転リール40で予め定めた入賞図柄の組み合わせを意味するものであって、入賞となる入賞態様の総称を意味するものである。具体的には、当選役とは、例えば、左、中、右の回転リール40の所定の入賞有効ライン上の停止図柄が、それぞれセブン、セブン、セブンとなることにより、入賞となるような入賞図柄の組み合わせ（入賞態様）を意味するものである。
【００４２】
（特別遊技制御手段80）  前記特別遊技制御手段80は、抽選手段の抽選結果に基づいて、通常遊技よりも遊技者に大きな利益を付与することができて、遊技者に有利な特別遊技を行わせるためのものである。そして、特別遊技としては、大別すると、次のゲームを有している。
（１）特定導入遊技（ＢＢゲーム）
（２）特定遊技（ＲＢゲーム）
（３）特定当選遊技（ＪＡＣゲーム）
なお、当選していない当選役が入賞しないように不当入賞を回避するための蹴飛ばし設定や、ストップスイッチ50の操作タイミングにおける所定の位置の図柄の上から４図柄（当該図柄を含めると５図柄）の所定範囲の引き込み範囲から、引き込み可能な引き込み設定を有しているのは、通常遊技制御手段70で説明したものと同様である。
【００４３】
上述した特別遊技のうち、特定導入遊技（ＢＢゲーム）と、特定遊技（ＲＢゲーム）とは、通常遊技及び特殊遊技中に単独に実施可能に設定されている。具体的には、前記特定遊技（ＲＢゲーム）は、通常遊技及び特殊遊技から移行して単独で実施される独立ＲＢゲームと、この独立ＲＢゲームと遊技内容は同一であるが特定導入遊技（ＢＢゲーム）中に移行可能な従属ＲＢゲームとを実施可能に形成されている。
前記特定当選遊技（ＪＡＣゲーム）は、本形態において通常遊技から移行することはできず（単独では実施されず）、ＲＢゲーム（独立ＲＢゲーム及び従属ＲＢゲーム）の内部で実施されるものである。すなわち、前記特定当選遊技、いわゆるＪＡＣゲームは、ＲＢゲーム中に行われるものである。
【００４４】
また、特定遊技（ＲＢゲーム）のうち、従属ＲＢゲームは、特定導入遊技、いわゆるＢＢゲーム中に、所定の条件の範囲内（具体的には、所定の獲得遊技メダル枚数の範囲内）で入賞した場合には何回でも行われるように設定されている。そして、独立ＲＢゲームは、ＢＢゲーム中で無い場合、通常遊技や特殊遊技から移行して単独で実施される。
なお、それぞれの特別遊技は、上述した（１）から（３）までの遊技に限定されるものではない。
そして、特別遊技制御手段80は、図２に示すように、大別すると、次の手段を備える。
（１）特定導入遊技制御手段91（ＢＢゲーム制御手段90）
（２）特定遊技制御手段101（ＲＢゲーム制御手段100）
（特定導入遊技制御手段91）  前記特定導入遊技制御手段91は、ＢＢゲームを制御するためのＢＢゲーム制御手段90である。具体的には、ＢＢゲームに移行すると、通常遊技と同様のＢＢ中小役遊技が、最大３枚のメダルの投入によって開始され、３つの回転リール40の回転を各々停止させた際に、入賞有効ライン上に当選図柄が揃っているか否かによって、メダルの払い出しが行われるものである。したがって、ＢＢゲーム中のＢＢ中小役遊技では、通常遊技と同様に小役を含めた抽選が毎回行われるものである。ただ、このＢＢゲーム中にＲＢゲーム（従属ＲＢゲーム）に移行するための当選図柄が入賞有効ライン上に揃った場合には、その後ＲＢゲーム（従属ＲＢゲーム）に移行するものである。なお、ＢＢゲーム中はＲＢゲーム（従属ＲＢゲーム）への移行が、所定獲得枚数までは何回でも行われることになっているために、１回目のＲＢゲーム（従属ＲＢゲーム）が終了した後は、また前述したような通常遊技と同様なＢＢ中小役遊技の抽選及び制御が行われるものである。
【００４５】
そして、ＢＢゲームでは、ＢＢゲーム中の獲得遊技メダル枚数が、予め定めた特定枚数を超えるまでは、ＢＢゲーム中のＲＢゲーム（従属ＲＢゲーム）を何回でも行うことができるように設定されている。そして、ＢＢゲーム中の獲得遊技メダル枚数が特定枚数を超えたときに、当該ＢＢゲームは終了するものである。もちろん、終了条件はこれに限定されるものではなく、例えば、ＢＢゲーム中のＲＢゲーム（従属ＲＢゲーム）が所定の最大回数、例えば３回か、或いはＢＢゲーム中のＢＢ中小役遊技が所定の最大回数、例えば最大３０回の終了により、ＢＢゲームは終了するように設定しても良い。また、かかる場合のＢＢゲーム中のＲＢゲーム（従属ＲＢゲーム）や、ＢＢ中小役遊技の最大回数は、上述したものに限定されるものではなく、遊技機10の種類の違いにより、他の回数（例えば、ＲＢゲームの最大回数が２回）に設定されているものでも良い。
【００４６】
（特定遊技制御手段101）  前記特定遊技制御手段101は、ＲＢゲーム（独立ＲＢゲーム及び従属ＲＢゲーム）を制御するためのものである。具体的には、ＲＢゲーム（独立ＲＢゲーム及び従属ＲＢゲーム）に移行すると、メダルが１枚投入となり、回転リール40の所定の図柄61が表示窓12のセンターライン上に揃った場合に入賞となる特定当選遊技（いわゆるＪＡＣゲーム）が行われるものである。そして、ＲＢゲーム（独立ＲＢゲーム及び従属ＲＢゲーム）では、当選するか否かの特定当選遊技（いわゆるＪＡＣゲーム）が最大１２回行えるものであり、そのうち、最大８回の入賞が可能である。すなわち、最大８回の入賞となるか、或いは最大１２回の特定当選遊技（いわゆるＪＡＣゲーム）の終了により、ＲＢゲーム（独立ＲＢゲーム及び従属ＲＢゲーム）は終了するものである。もちろん、終了条件は、これに限定されるものではなく、予め定めた特定の獲得遊技メダル枚数に到達することにより終了するように設定しても良い。
【００４７】
（特殊遊技制御手段85）  前記特殊遊技制御手段85は、特殊遊技としてのリプレイタイム遊技（ＲＴゲーム）を制御するためのものである。このリプレイタイム遊技（ＲＴゲーム）は、通常遊技中よりも、リプレイ当選役の当選確率を高く設定しているものである。そして、この特殊遊技としてのリプレイタイム遊技は、あらかじめ設定した一定回数分（具体的には、３００回）だけ通常遊技よりもリプレイ当選役の抽選確率の高い遊技を実施することができて、遊技者にとって利益が出せるように設定されている。
前記特殊遊技制御手段85は、特殊遊技としてのリプレイタイム遊技中にのみ、有利選択手段120により、当選により生じた権利（ＢＢゲーム又は独立ＲＢゲームの当選フラグ成立により発生する権利）の持ち越し中、多利益遊技（独立ＲＢゲーム）又は最多利益遊技（ＢＢゲーム）が当選した場合、持ち越し中の当選により生じた権利と新たな当選により生じた権利とのうち遊技者に有利となる方の当選により生じた権利を有効な権利として選択することができるように設定されている。
【００４８】
なお、多利益遊技（独立ＲＢゲーム）又は最多利益遊技（ＢＢゲーム）のいずれかの特別遊技の実行で、予め設定された一定回数（３００回）の残りの遊技回数がクリアされる（０回になる）ように形成されている。すなわち、特殊遊技制御手段85は、リプレイタイム遊技の途中で、多利益遊技（独立ＲＢゲーム）又は最多利益遊技（ＢＢゲーム）のいずれかの特別遊技に入賞すると、かかる特別遊技に移行し、その特別遊技を実行すると、残りのリプレイタイム遊技を実行することなく、その時点でリプレイタイム遊技が終了するように形成されている。もちろん、残りのリプレイタイム遊技の遊技回数を記憶しておき、特別遊技の実行終了後、残りのリプレイタイム遊技を実行することができるように形成しても良いものである。
【００４９】
（当選抽選手段110）  前記当選抽選手段110は、図柄61の組み合わせにより構成される当選役を抽選により決定するためのものであって、予め定めた当選率に基づいて当選か否かの当選判定の抽選を行うものである。そして、当選抽選手段110による抽選結果が当選である場合（内部入賞とも言う。）に当選フラグが成立し、この当選フラグ成立中に、回転リール40の停止図柄の組み合わせが予め定められた当選図柄と一致したことを条件に入賞し、遊技者にメダルの払い出しや、特別遊技等の利益が付与されるように設定されている。
前記当選抽選手段110は、図３に示すように、大別すると、次の手段を備える。
【００５０】
（１）当選乱数発生手段111
（２）当選乱数抽出手段112
（３）当選判定テーブル記憶手段113
（４）当選判定手段114
なお、当選抽選手段110としては、上記した（１）から（４）までに限定されるものではない。
（当選乱数発生手段111）  前記当選乱数発生手段111は、抽選用の乱数を所定の領域内（十進数で０乃至６５５３５）で発生させるものである。この当選乱数発生手段111は、一定範囲の数字を高速で１ずつ加算するカウンタを用いて構成するものであって、０乃至６５５３５の範囲の数字を、１秒間に数百万回程度順次繰り返すようにしたカウンタである。そして、「当選乱数抽出手段」としては、スタートスイッチを押したタイミングでカウンタの数字を読みとるものである。これは、「当選乱数発生手段」では乱数を発生しているわけではないものの、「当選乱数抽出手段」によって抽出される数字は、あたかも乱数のような分布となるものである。
【００５１】
なお、ここで、「当選乱数発生手段」には、ソフト乱数としての平均採中法（ｎ桁の数字を２乗して中央のｎ桁の数を取り出すことの繰り返しによる乱数発生方法）等で乱数を発生させることができるものでも良い。このように結果として乱数のような分布を示す数字が得られる手段を、ここでは、「当選乱数発生手段」或いは「当選乱数抽出手段」に含めて考えるものである。
（当選乱数抽出手段112）  前記当選乱数抽出手段112は、当選乱数発生手段111が発生する乱数を、所定の条件（具体的には、スタートスイッチ30の操作）で抽出するものである。なお、この抽出した乱数を抽出乱数データとする。
【００５２】
（当選判定テーブル記憶手段113）  前記当選判定テーブル記憶手段113は、当選乱数発生手段111がとる乱数の全領域中、各当選項目の当選領域を有するものである。この当選判定テーブル記憶手段113は、異なる抽選確率を記憶した複数のものが形成されている。
（当選判定手段114）  前記当選判定手段114は、当選乱数抽出手段112が抽出した抽出乱数データと、当選判定テーブル記憶手段113の当選率データを基に当選乱数発生手段111がとる乱数の全領域中の各当選項目の当選領域からなる当選判定領域データとを照合し、当該抽出乱数データが属する当選領域に対応する当選を決定するものである。
（有利選択手段120）  前記有利選択手段120は、リプレイタイム遊技において、当選抽選手段110による遊技の開始時に行われる抽選により多利益遊技（独立ＲＢゲーム）又は最多利益遊技（ＢＢゲーム）が当選し、かつその当選により生じた権利を次の遊技以降に持ち越しているときに、その後の当選抽選手段110による遊技の抽選により多利益遊技（独立ＲＢゲーム）又は最多利益遊技（ＢＢゲーム）が当選した場合、持ち越し中の当選により生じた権利と新たな当選により生じた権利とのうち遊技者に有利となる方の当選により生じた権利を有効な権利として選択するためのものである。
【００５３】
前記有利選択手段120は、リプレイタイム遊技中において、持ち越し中の当選により生じた権利と新たな当選により生じた権利とのうち遊技者に有利となる方の当選により生じた権利を有効な権利として選択する。これは、具体的には、図５に示すように、持ち越し中の当選により生じた権利（独立ＲＢゲームの当選フラグ又はＢＢゲームの当選フラグ）と、新たな当選により生じた権利（独立ＲＢゲームの当選フラグ又はＢＢゲームの当選フラグ）とのうち、遊技者にとって、より有利となる方の当選により生じた権利（独立ＲＢゲームの当選フラグ又はＢＢゲームの当選フラグ）を、有効な権利として継続維持する。そして、所定図柄を入賞有効ライン上に停止させることができずに、入賞を逃して持ち越しが必要になった場合は、次の遊技以降に当該権利（当選フラグ）を持ち越し、且つ、遊技者にとって、より有利とならない方の当選により生じた権利（独立ＲＢゲームの当選フラグ又はＢＢゲームの当選フラグ）を、消滅させ、次の遊技以降へ持ち越さない。
【００５４】
更に、具体的に説明すると、前記有利選択手段120は、リプレイタイム遊技中、図５のＢタイプのように、前回遊技から持ち越し中の当選により生じた権利（ＢＢゲームの当選フラグ）の方が、新たな当選により生じた権利（独立ＲＢゲームの当選フラグ）よりも遊技者にとって、より有利な場合は、持ち越し中の当選により生じた権利（ＢＢゲームの当選フラグ）を有効な権利として継続させて、入賞できなかった場合は、当該権利（ＢＢゲームの当選フラグ）を次の遊技以降に持ち越す。一方、今回遊技において新たな当選により生じた権利（独立ＲＢゲームの当選フラグ）を消滅させるものである。
また、前記有利選択手段120は、リプレイタイム遊技中、図５のＣタイプのように、新たな当選により生じた権利（ＢＢゲームの当選フラグ）の方が、前回遊技から持ち越し中の当選により生じた権利（独立ＲＢゲームの当選フラグ）よりも遊技者にとって、より有利な場合は、新たな当選により生じた権利（ＢＢゲームの当選フラグ）を有効な権利として継続させて、当該遊技で入賞できなかった場合は、当該権利（ＢＢゲームの当選フラグ）を次の遊技以降に持ち越す。一方、前回遊技から持ち越し中の当選により生じた権利（独立ＲＢゲームの当選フラグ）を消滅させるものである。
【００５５】
また、前記有利選択手段120は、リプレイタイム遊技中、図５のＡタイプのように、今回遊技において新たな当選により生じた権利（ＢＢゲームの当選フラグ）と、前回遊技から持ち越し中の当選により生じた権利（ＢＢゲームの当選フラグ）とが、同一であって、遊技者にとっての有利性という観点から、いずれが有利と判断できない場合は、両方の権利のうちいずれか一方の権利（いずれか一方のＢＢゲームの当選フラグ）を有効なものとして継続させて、当該遊技で入賞できなかった場合は、当該権利（ＢＢゲームの当選フラグ）を次の遊技以降に持ち越す。一方、他方の権利（他方のＢＢゲームの当選フラグ）を消滅させるものである。
【００５６】
また、前記有利選択手段120は、リプレイタイム遊技中、図５のＤタイプのように、今回遊技において新たな当選により生じた権利（独立ＲＢゲームの当選フラグ）と、前回遊技から持ち越し中の当選により生じた権利（独立ＲＢゲームの当選フラグ）とが、同一であって、遊技者にとっての有利性という観点から、いずれが有利と判断できない場合は、両方の権利のうちいずれか一方の権利（いずれか一方の独立ＲＢゲームの当選フラグ）を有効なものとして継続させて、当該遊技で入賞できなかった場合は、当該権利（一方の独立ＲＢゲームの当選フラグ）を次の遊技以降に持ち越す。一方、他方の権利（他方の独立ＲＢゲームの当選フラグ）を消滅させるものである。
【００５７】
（演出データ記憶手段25）  前記演出データ記憶手段25は、報知手段66の演出データを記憶するためのものである。具体的には、例えば、ＢＢゲームの入賞時の報知手段66のスピーカー67から発生させるサウンドや、報知ランプ69の点灯、点滅の時間や順序等のデータや、表示装置68に表示される図柄模様及び文字列のデータが記憶されているものである。もちろん、記憶する演出内容は、これらに限定されるものではなく、予め記憶された音声や、振動や、他のランプの点灯等の種々の報知手段によるものでも良いものである。
（演出制御手段26）  前記演出制御手段26は、演出データ記憶手段25からの各演出データを、制御装置20等からの制御信号に基づいて、報知手段66に出力し、かかる装置を制御するためのものである。
【００５８】
具体的には、ＢＢゲームや、ＲＢゲーム等や、他の小役等の当選フラグ成立の可能性が大きいときや、所定の当選フラグ成立中に所定の入賞有効ライン上に当該当選図柄が揃うことにより入賞したときに、演出データ記憶手段25からの演出情報に基づいて、報知ランプ69の所定位置のランプを点灯や点滅させたり、スピーカー67から所定の電子音を発生させたり、表示装置68に所定の図柄模様及び文字列を点灯表示させるためのものである。
（遊技機10の動作）  次に、前記構成を備えた遊技機の特殊遊技（ＲＴゲーム）の動作の概略について、図６乃至図９に示したフローを用いて説明する。
先ず、図６に示すステップ１０１において、スタートスイッチ30が操作されることにより、スタートスイッチ30がＯＮとなる。そして、次のステップ１０２に進む。
【００５９】
ステップ１０２において、当選抽選手段110により抽選処理が行われる。そして、次のステップ１０３に進む。
ステップ１０３において、有利選択手段120により、有利な当選フラグの選択判断処理が実施される。そして、次のステップ１０４に進む。
ステップ１０４において、回転リール40の回転が開始する。そして、次のステップ１０５に進む。
ステップ１０５において、ストップスイッチ50が操作されることにより、ストップスイッチ50がＯＮとなる。そして、次のステップ１０６に進む。
【００６０】
ステップ１０６において、回転リール40の回転停止処理が行われる。そして、次のステップ１０７に進む。
ステップ１０７において、三個の回転リール40に対応するストップスイッチ50の操作が行われたか否かが判定される。そして、三個の回転リール40に対応するストップスイッチ50の操作が行われたと判定された場合、次のステップ１０８に進む。
ステップ１０８において、当選フラグ成立中に当該当選フラグに対応する当選図柄が入賞有効ライン上に揃ったか否か、すなわち、入賞したか否かが判定される。そして、入賞したと判定された場合、次のステップ１０９に進む。
【００６１】
ステップ１０９において、当選図柄に相当する予め定めた特定の枚数の遊技メダルが払い出される。そして、次のステップ１１０に進む。
ステップ１１０において、リプレイタイム遊技（ＲＴゲーム）の終了条件に到達したか否かが判定される。具体的には、リプレイタイム遊技の実施回数が、所定回数（具体的には３００回）に到達したか否か、及び、独立ＲＢゲームやＢＢゲームに入賞したか否かのＲＴゲームの終了条件が判断されるものである。そして、リプレイタイム遊技の終了条件に到達していると判定された場合、次のステップ１１１に進む。
ステップ１１１において、リプレイタイム遊技（ＲＴゲーム）の終了設定が実施される。具体的には、当該遊技の終了により、リプレイタイム遊技が終了し、それ以後の遊技は、通常遊技に移行するように設定されるものである。そして、当該遊技が終了する。
【００６２】
前記ステップ１０７において、三個の回転リール40に対応するストップスイッチ50の操作が行われていないと判定された場合、ステップ１０５に戻る。
前記ステップ１０８において、入賞していないと判定された場合、ステップ１０９を飛び越して、ステップ１１０に進む。
前記ステップ１１０において、リプレイタイム遊技の終了条件に到達していないと判定された場合、ステップ１１１を飛び越して、当該遊技は終了する。
上述したステップ１０２の当選抽選処理について、図７のフローを用いて説明する。
ステップ２００において、当選抽選手段110の当選乱数発生手段111により発生された乱数の中から当選乱数抽出手段112により乱数が抽出される。そして、次のステップ２０１に進む。
【００６３】
ステップ２０１において、抽出された乱数が当選乱数抽出手段112の内部に記憶される。そして、次のステップ２０２に進む。
ステップ２０２において、当選判定手段114により、抽出された乱数と、当選判定テーブル記憶手段113の当選判定領域データとの比較が行われる。そして、次のステップ２０３に進む。
ステップ２０３において、当選判定手段114により、抽出された乱数が、当選判定テーブル記憶手段113のどの当選領域に含まれるか決定され、抽選処理の評価が決定される。そして、次のステップ２０４に進む。
【００６４】
ステップ２０４において、所定の図柄の蹴飛ばしと、所定図柄の引き込みとが設定される。そして、当選抽選処理が終了する。
上述したステップ１０３の有利な当選フラグの選択の判断処理について、図８を用いて説明する。
ステップ３１０において、確認のため、リプレイタイム遊技（ＲＴゲーム）中か否かが、判定される。そして、リプレイタイム遊技（ＲＴゲーム）中であると判定された場合、次のステップ３１１に進む。
ステップ３１１において、ＢＢゲーム、又は、独立ＲＢゲームの持ち越しフラグがあるか否かが判定される。そして、ＢＢゲームか、又は、独立ＲＢゲームかの持ち越しフラグがあると判定された場合、次のステップ３１２に進む。
【００６５】
ステップ３１２において、今回の遊技の当選抽選手段110の抽選の結果、ＢＢゲームか、又は、独立ＲＢゲームに新たに当選したか、すなわち、新たな当選フラグが成立したか否かが判定される。そして、今回の遊技の当選抽選手段110の抽選の結果、ＢＢゲームか、又は、独立ＲＢゲームに新たに当選している、すなわち、新たな当選フラグが成立していると判定された場合、次のステップ３１３に進む。
ステップ３１３において、持ち越した権利の予想利益が設定される。具体的には、ＢＢゲームの場合、予め記憶された予想獲得遊技メダル枚数Ｘ枚が設定され、独立ＲＢゲームの場合、予め記憶された予想獲得遊技メダル枚数Ｙ枚が設定されるものである。なお、Ｘ枚は、Ｙ枚より多い数値（Ｘ＞Ｙ）が設定されている。そして、次のステップ３１４に進む。
【００６６】
ステップ３１４において、新たに成立した権利の予想利益が設定される。具体的には、ステップ３１３と同様に、ＢＢゲームの場合、予め記憶された予想獲得遊技メダル枚数Ｘ枚が設定され、独立ＲＢゲームの場合、予め記憶された予想獲得遊技メダル枚数Ｙ枚が設定されるものである。そして、同様に、Ｘ枚は、Ｙ枚より多い数値（Ｘ＞Ｙ）が設定されている。そして、次のステップ３１５に進む。
ステップ３１５において、有利選択手段120により、持ち越した権利と、新たに成立した権利との予想利益の比較が行われる。そして、ステップ３１６に進む。
ステップ３１６において、有利選択手段120により、持ち越した権利と、新たに成立した権利との予想利益の比較結果、有利な方を有効な権利として選択して、有利でない方の権利（当選フラグ）を消滅させる。また、有利選択手段120により、持ち越した権利と、新たに成立した権利との予想利益の比較結果、予想利益が同一の場合、いずれか一方の権利を有効な権利として選択して、他方の権利（当選フラグ）を消滅させる。そして、当該処理が終了する。
【００６７】
前記ステップ３１０において、リプレイタイム遊技（ＲＴゲーム）中でないと判定された場合、当該処理は終了する。
前記ステップ３１１において、ＢＢゲームか、又は、独立ＲＢゲームかの持ち越しフラグがないと判定された場合、当該処理は終了する。
前記ステップ３１２において、今回の遊技の当選抽選手段110の抽選の結果、ＢＢゲームか、又は、独立ＲＢゲームに新たに当選していない、すなわち、今回遊技の抽選結果では、ＢＢゲーム及び独立ＲＢゲームのいずれにも当選しておらず、当選フラグが成立していないと判定された場合、当該処理は終了する。
【００６８】
上述したステップ１０６の回転リール40の回転停止処理について、図９を用いて説明する。
ステップ４００において、所定の図柄に対して、蹴飛ばしの設定が達成されたか否かが判定される。この蹴飛ばしの設定は、全ての入賞有効ライン上で、当選抽選手段110の抽選結果に基づいて不当入賞が発生しないように全ての停止操作タイミングにおいて、設定されているものである。そして、所定の図柄の蹴飛ばしの設定が達成されていないと判定された場合、次のステップ４０１に進む。
ステップ４０１において、１個の図柄分だけ、回転リール40を回転させる。すなわち、１個の図柄分だけ蹴飛ばしを行う。そして、次のステップ４０２に進む。
【００６９】
ステップ４０２において、上述した１個の図柄分だけ回転リール40を回転させた当該図柄の数がストップスイッチ50の操作後の４個目に該当するか否かが判定される。そして、ストップスイッチ50を操作した後、１図柄ずつ回転リール40を回転させてずらした図柄の数が４個目の場合には、次のステップ４０３に進む。
ステップ４０３において、回転リール40の回転を停止させる。これにより、メダル投入から回転リール40の回転停止までの遊技機10の動作が終了する。
前記ステップ４００において、所定の図柄の蹴飛ばしの設定が達成されていると判定された場合、次のステップ４０４に進む。
【００７０】
ステップ４０４において、いずれかの図柄に対して引き込みが設定されているか否かが判定される。そして、いずれかの図柄に対して引き込みが設定されていると判定された場合、次のステップ４０５に進む。
ステップ４０５において、引き込み設定が達成されたか否かが判定される。そして、引き込み設定が達成されたと判定された場合、次のステップ４０３に進む。
前記ステップ４０４において、いずれの図柄に対しても引き込みが設定されていないと判定された場合、ステップ４０３に進む。
前記ステップ４０５において、引き込み設定が達成されていないと判定された場合、ステップ４０１に進む。
【００７１】
前記ステップ４０２において、ストップスイッチ50を操作した後、１図柄ずつ回転リール40を回転させてずらした図柄の数が４個目でない場合には、ステップ４００に戻る。
なお、上述した実施の形態において、回転リール40の停止処理に関してステップ４０１乃至ステップ４０５で説明しているが、この例は、引き込み範囲図柄のうち、基準位置に近い図柄から条件を調査する、いわゆる最小引き込み停止制御の例である。逆に、引き込み範囲図柄のうち、基準位置に遠い図柄から条件を調査する、いわゆる最大引き込み停止制御としても良い。
更には、例えば、ストップスイッチ50を押すタイミングで予め定めたテーブルに従って回転リール40の停止位置を決定する、いわゆるテーブル停止制御の方法によるものでも良いものである。このテーブル停止制御は、当選フラグ成立の有無や、当選フラグ成立中の当選図柄に基づいた複数のテーブルを有し、この複数のテーブルから適宜、遊技状況に応じたテーブルが選択されるものである。
【００７２】
なお、テーブル停止制御においても、当選フラグが成立しているときには、その当選フラグに対応する図柄が入賞有効ライン上に揃うように、予めテーブルの上で停止位置が決定されてあり、いわゆる引き込み設定の一種を備えているものである。また、当選フラグが成立していないときには、他の当選図柄が入賞有効ライン上に揃わないように、予めテーブルの上で停止位置が決定されてあり、いわゆる蹴飛ばし設定の一種を備えているものである。
（作用）  本実施の形態では、多利益遊技（独立ＲＢゲーム）又は最多利益遊技（ＢＢゲーム）が当選し、且つその当選により生じた権利（当選フラグ）を次の遊技以降に持ち越しているときに、その後の当選抽選手段110による遊技の抽選により多利益遊技（独立ＲＢゲーム）又は最多利益遊技（ＢＢゲーム）が当選した場合、遊技者にとって、より有利となる方の当選により生じた権利（当選フラグ）を有効な権利として有利選択手段120が選択している。
【００７３】
これにより、持ち越すことができる権利が１権利（１個の当選フラグ）に制限され、当選により生じた権利（当選フラグ）を持ち越し中であっても、毎回の遊技で多利益遊技（独立ＲＢゲーム）又は最多利益遊技（ＢＢゲーム）の抽選を実施することができ、毎回の遊技で多利益遊技（独立ＲＢゲーム）又は最多利益遊技（ＢＢゲーム）の抽選の楽しみを享受することができる。更に、多利益遊技（独立ＲＢゲーム）の当選の権利を持ち越している場合は、毎回の遊技で、より多くの利益が得られる最多利益遊技（ＢＢゲーム）の当選を望むことができ、多利益遊技（独立ＲＢゲーム）の当選から最多利益遊技（ＢＢゲーム）の当選へ、当選により生じた権利（当選フラグ）を交換することができる。これにより、この最多利益遊技（ＢＢゲーム）の当選及び入賞により、多利益遊技（独立ＲＢゲーム）よりも、より多くの利益を得ることが可能となる。
【００７４】
そして、本実施の形態では、上述したような有利選択手段120による当選により生じた権利をより有利な権利へ交換することを、通常遊技中や、特別遊技中には実施せずに、リプレイタイム遊技中にのみ、実施している。これにより、予想される獲得遊技メダル数を増加させることができ、リプレイタイム遊技に移行した場合、その後の遊技の期待値を増加させることができ、リプレイタイム遊技の特典を増加させることができ、リプレイタイム遊技の遊技性を向上させることができる。
また、この遊技機10は、以下の（１）及び（２）に示される遊技機用プログラムによって制御することができる。
【００７５】
（１）遊技機10を、複数の図柄61を変動表示又は停止表示するための図柄表示手段41、図柄61の組み合わせにより構成される当選役を抽選により決定するための当選抽選手段110、当選抽選手段110の抽選結果に対応した停止制御を図柄表示手段41に対して行うための遊技制御手段27として機能させ、遊技媒体の投入を条件として遊技が開始可能となり、当選抽選手段110の抽選結果、所定の当選役に当選することにより当選フラグが成立し、且つ図柄表示手段41が当選役に応じて予め定められた図柄表示の態様になることにより入賞となって所定枚数の遊技媒体の払い出しが実施可能となり、或いは図柄表示の態様にならないことにより外れとなって１回の遊技が終了するように機能させ、当選しても入賞しない場合に、当選により生じた権利を次の遊技以降に持ち越し可能に機能させ、遊技として、通常に実施される通常遊技と、当選により生じた権利が入賞したときには、通常遊技よりも多くの利益が期待できる多利益遊技と、多利益遊技よりも更に多くの利益が期待できる最多利益遊技とを備え、当選により生じた権利を持ち越すことができるのは多利益遊技又は最多利益遊技のうちいずれか一方のみでありかつ１権利のみであるように機能させるための遊技機用プログラム。
【００７６】
（２）遊技機10を、当選抽選手段110による遊技の開始時に行われる抽選により多利益遊技又は最多利益遊技が当選し、かつその当選により生じた権利を次の遊技以降に持ち越しているときに、その後の当選抽選手段110による遊技の抽選により多利益遊技又は最多利益遊技が当選した場合、持ち越し中の当選により生じた権利と新たな当選により生じた権利とのうち遊技者に有利となる方の当選により生じた権利を有効な権利として選択するための有利選択手段120として機能させるための遊技機用プログラム。
また、この遊技機10は、上述した遊技機用プログラムを記録したコンピュータ読み取り可能な記録媒体を用いて制御することもできる。
【００７７】
なお、図柄表示手段41は、複数の図柄を変動表示又は停止表示させるための手段をいう。また、この図柄表示手段41は、例えば、周囲に複数の図柄を表示した現実の回転リール40を用い、この回転リール40の回転を制御するようにして形成することができる。また、この図柄表示手段41は、例えば、液晶ディスプレイやＣＲＴ等の画像表示装置を用い、この画像表示装置に複数の図柄を順次表示させるようにして形成することもできる。
ここで、この遊技機用プログラムを用いて現実の遊技機10を制御しようとする場合には、「遊技制御手段27」は、当選抽選手段110の抽選結果が当選である場合に前記図柄表示手段の当選図柄を停止表示させたことを条件として入賞して遊技者に利益を付与するものである。また、かかる場合には、遊技制御手段27は、例えば、貯留払い出し手段65（ホッパーユニット）を駆動させて遊技者に対して現実の遊技メダルの払い出しを行うように形成することができる。
【００７８】
また、この遊技機用プログラムを用いて業務用或いは家庭用テレビゲーム機等を制御しようとする場合には、現実の遊技メダルの払い出しを行い得ないので、この制御手段は、例えば、液晶ディスプレイやＣＲＴ等の画像表示装置に遊技メダルの枚数を増やすような画像を表示するように形成することができる。
（第２の実施の形態）
図１０は、本発明の第２の実施の形態であって、遊技機の特殊遊技（ＲＴゲーム）の動作の概略のフローを示すものである。なお、本実施の形態において、図６を除くその他の図面、すなわち図１〜図５、図７〜図９は、第１の実施の形態で使用した図面をそのまま使用するものである。
【００７９】
本実施の形態は、第１の実施の形態のステップ１０３に相当するステップ５２１の有利な当選フラグの選択判断処理を、当該遊技の最後にもってきたものである。第１の実施の形態では、次の遊技に持ち越すことができる特別遊技（ボーナス遊技）の当選フラグ（ＢＢゲーム又は独立ＲＢゲームの当選フラグ）の個数は、１個だけであり、更に、ステップ１０３の有利な当選フラグの選択判断処理を、ステップ１０２の当選抽選処理の直後に処理することにより、成立している当選フラグの数は、回転リール40の開始後、１個だけとなるように形成されていた。それに対して、本実施の形態では、次の遊技に持ち越すことができる特別遊技（ボーナス遊技）の当選フラグ（ＢＢゲーム又は独立ＲＢゲームの当選フラグ）の個数は、第１の実施の形態と同様に、１個だけであるが、ステップ５２１の有利な当選フラグの選択判断処理を、当該遊技の最後に処理することにより、回転リール40の開始後、成立している当選フラグの数は、当該遊技中、ステップ５２１に到達するまで２個となる可能性を有しているものである。すなわち、遊技中に、（１）ＢＢゲームの当選フラグが２個の場合、（２）独立ＲＢゲームの当選フラグが２個の場合、（３）ＢＢゲーム及び独立ＲＢゲームの当選フラグがそれぞれ１個ずつ、合計２個の場合の３パターンが発生可能なものである。
【００８０】
そして、２個の成立しているＢＢゲーム又は独立ＲＢゲームの当選フラグのうち、成立している当選フラグに対応する図柄を入賞有効ライン上に停止させることができて、入賞した場合には、当該当選フラグの入賞となる。そして、残りの１個の当選フラグはそのまま、次の遊技に持ち越されることになる。
また、２個の成立しているＢＢゲーム又は独立ＲＢゲームの当選フラグのいずれも、入賞させることができなかった場合は、当該遊技の最後のステップ５２１において、遊技者に有利となる方（両者が同一の場合は、いずれか一方）の当選フラグが、次の遊技に持ち越され、有利とならない方（両者が同一の場合は、残った他方）の当選フラグは消滅させられ、結果として、持ち越すことができるのは、１個の権利（１個の当選フラグ）のみとなる。
【００８１】
なお、その他の構成や、作用及び効果は、第１の実施の形態で説明したものと同一であって、それらの説明を省略する。
上述した第１及び第２の実施の形態では、有利選択手段120は、多利益遊技（独立ＲＢゲーム）と、最多利益遊技（ＢＢゲーム）との２つの当選フラグの有利性を判断していたが、特に２つの当選フラグに限定されるものではなく、２つ以上の３つ、あるいは、それ以上の個数の当選フラグの有利性を選択して判断処理するように設定しても良いものである。
上述した第１及び第２の実施の形態では、特殊遊技としてリプレイタイム遊技（ＲＴゲーム）を採用し、有利選択手段120は、かかるリプレイタイム遊技中にのみ、有利な権利を選択していたが、特にこれに限定されるものではない。有利選択手段120は、他の特殊遊技において、有利な権利を選択するようにしても良い。具体的には、特殊遊技として、所定の場合に引き込み停止制御に制限を加えるいわゆるチャレンジタイム遊技（ＣＴゲーム）や、遊技者のストップスイッチ50の押下順序等を報知して、操作内容をアシストする、いわゆるアシストタイム遊技（ＡＴゲーム）を採用しても良いものである。また、有利選択手段120は、特殊遊技中ではなく、通常遊技中に、有利な権利を選択するように設定しても良いものである。更に、上述した実施の形態では、ＢＢゲーム中では、ＢＢゲームや、独立ＲＢゲームの抽選を実施していなかったが、ＢＢゲーム中でも、ＢＢゲームや、独立ＲＢゲームの抽選を実施するような場合には、有利選択手段120は、ＢＢゲーム中にも、有利な権利を選択するように設定しても良いものである。
【００８２】
また、上述した第１及び第２の実施の形態では、多利益遊技を独立ＲＢゲームに設定し、最多利益遊技をＢＢゲームに設定したが、特にこれに限定されるものではなく、当選したが入賞できなかった場合に次の遊技に持ち越すことができるものであって、遊技者に付与する利益量が異なる他の２つの遊技を、多利益遊技及び最多利益遊技に設定しても良いものである。
【図面の簡単な説明】
【００８３】
【図１】本発明の第１の実施の形態であって、遊技機の入力、制御及び出力を示すブロック図である。
【図２】本発明の第１の実施の形態であって、遊技制御手段を示すブロック図である。
【図３】本発明の第１の実施の形態であって、当選抽選手段を示すブロック図である。
【図４】本発明の第１の実施の形態であって、遊技機を示す外観正面図である。
【図５】本発明の第１の実施の形態であって、現在持ち越し中の権利がある場合に、新たな当選があったときの、次の遊技以降に持ち越し可能な権利を示す説明図である。
【図６】本発明の第１の実施の形態であって、遊技機の特殊遊技（ＲＴゲーム）の動作の概略を示すフローである。
【図７】本発明の第１の実施の形態であって、当選抽選処理の概略を示すフローである。
【図８】本発明の第１の実施の形態であって、有利な当選フラグの選択判断処理を示すフローである。
【図９】本発明の第１の実施の形態であって、回転リールの回転停止処理を示すフローである。
【図１０】本発明の第２の実施の形態であって、現在持ち越し中の権利がある場合に、新たな当選があったときの、次の遊技以降に持ち越し可能な権利を示す説明図である。
【符号の説明】
【００８４】
10  遊技機                              11  筐体
12  表示窓                              13  図柄表示窓
14  前扉                                15  投入スイッチ
16  ベットスイッチ                      17  精算スイッチ
18  メダル投入口                        20  制御装置
21  遊技制御装置                        22  演出制御装置
23  主基板                              24  サブ基板
25  演出データ記憶手段                  26  演出制御手段
27  遊技制御手段                        30  スタートスイッチ
31  変動表示開始手段                    40  回転リール
41  図柄表示手段                        42  リールテープ
43  左側回転リール                      44  中央回転リール
45  右側回転リール                      50  ストップスイッチ
51  変動表示停止手段                    60  リールユニット
61  図柄                                62  モータードライバ
63  駆動モーター                        64  ステッピングモーター
65  貯留払い出し手段                    66  報知手段
67  スピーカー                          68  表示装置
69  報知ランプ                          70  通常遊技制御手段
80  特別遊技制御手段                    85  特殊遊技制御手段
90  ＢＢゲーム制御手段                  91  特定導入遊技制御手段
100  ＲＢゲーム制御手段                101  特定遊技制御手段
110  当選抽選手段                      111  当選乱数発生手段
112  当選乱数抽出手段                  113  当選判定テーブル記憶手段
114  当選判定手段                      120  有利選択手段
【図１】
2009100860.tif 000003
【図２】
2009100860.tif 000004
【図３】
2009100860.tif 000005
【図４】
2009100860.tif 000006
【図５】
2009100860.tif 000007
【図６】
2009100860.tif 000008
【図７】
2009100860.tif 000009
【図８】
2009100860.tif 000010
【図９】
2009100860.tif 000011
【図１０】
2009100860.tif 000012